(57)【要約】【課題】  ウエスを用いることなく作業者が安全に作業でき、ケーブルを挿入するだけで汚れなどの付着物が確実に除去できるケーブルクリーナを提供する。【解決手段】  ケーブル２に付着した油や塵芥などの付着物を除去するケーブルクリーナ１であって、円筒状の回転体１０と、この回転体１０の内周面に配設されてケーブル２を挿入可能で付着物を除去するブラシ体２０と、筒状で筒内に回転体１０を軸中心に回転自在に支持する支持体３０と、を備え、ブラシ体２０内にケーブル２を挿入することで、ブラシ体２０がケーブル２に接触しながら回転するようにブラシ体２０が配設される。【選択図】  図１
2013192352.tif 000002
【特許請求の範囲】
【請求項１】
ケーブルに付着した油や塵芥などの付着物を除去するケーブルクリーナであって、
円筒状の回転体と、
前記回転体の内周面に配設され、前記ケーブルを挿入可能で、前記付着物を除去するブラシ体と、
筒状で、筒内に前記回転体を軸中心に回転自在に支持する支持体と、
を備え、
前記ブラシ体内に前記ケーブルを挿入することで、前記ブラシ体が前記ケーブルに接触しながら回転するように前記ブラシ体が配設されている、ことを特徴とするケーブルクリーナ。
【発明の詳細な説明】
【技術分野】
【０００１】
この発明は、ケーブルに付着した油や塵芥などの付着物を除去するケーブルクリーナに関する。
【背景技術】
【０００２】
従来、ケーブルクリーナとしては、スポンジやブラシなどの間にケーブルを挟み込み、ケーブルを引くことで、表面に付着した埃等の汚物を除去するクリーナが知られている（例えば、特許文献１参照。）。しかし、このケーブルクリーナは、主に家庭用のケーブルなどに用いるものであって、例えば、地中ケーブルやバイパスケーブルなどの電線に用いるクリーナではなかった。
【０００３】
図８は、従来の地中ケーブル撤去時の状態を示す図である。図８に示すように、この地中ケーブル撤去時には、作業者がケーブルを直接把持して地面（地中）から地上に引き出していた。ケーブルには、敷設時に塗布した滑材や敷設中についた汚れなどの付着物が多く付着している。この場合、ケーブルの再用可否を判断するため、外観点検を行う際に付着物があると、良否の判断が困難になる。
【０００４】
そこで、現状では撤去ケーブルを作業者が引き出す際に、ウエス（油ふきなどに用いる布）などで付着物をふき取りながら、外観点検を実施している。一方、バイパスケーブル収納時でも、ケーブルに付着した付着物をウエスでふき取り、収納ドラムに巻き取っており、いずれにおいても人為的にウエスでケーブルの汚れをふき取っていた。
【先行技術文献】
【特許文献】
【０００５】
【特許文献１】特開２００２−１０１５１３号公報
【発明の概要】
【発明が解決しようとする課題】
【０００６】
しかしながら、従来の地中ケーブル撤去時やバイパスケーブル収納時には、ケーブルの付着物をウエスでふき取っているが、例えば、より線などでは、線の隙間に入り込んだ汚れが取れにくいという不具合があった。また、ケーブルを引き出してふき取る作業は、作業者に負担がかかり撤去作業に遅れを生じてしまう。特に、ケーブル自体が汚れて滑るため、図８に示したように、ケーブルの引き出しや巻取り時に力が入りにくく滑って、作業者の転倒事故などの危険性があった。また、長いケーブルのふき取り時には、大量のウエスが必要となるため、廃棄するゴミが増えるという不具合があった。
【０００７】
そこで、この発明は、ウエスを用いることなく作業者が安全に作業でき、ケーブルを挿入するだけで汚れなどの付着物が確実に除去できるケーブルクリーナを提供することを目的としている。
【課題を解決するための手段】
【０００８】
前記の課題を解決するために、請求項１の発明は、ケーブルに付着した油や塵芥などの付着物を除去するケーブルクリーナであって、円筒状の回転体と、前記回転体の内周面に配設されて前記ケーブルを挿入可能で前記付着物を除去するブラシ体と、筒状で筒内に前記回転体を軸中心に回転自在に支持する支持体と、を備え、前記ブラシ体内に前記ケーブルを挿入することで、前記ブラシ体が前記ケーブルに接触しながら回転するように前記ブラシ体が配設されている、ことを特徴とするケーブルクリーナである。
【０００９】
この発明によれば、支持体を固定して、回転体内のブラシ体にケーブルを挿通して引っ張ることで、ブラシがケーブルに沿って回転体とともに自立回転され、ケーブルに付着した油や塵芥などの付着物が除去される。
【発明の効果】
【００１０】
請求項１に記載の発明によれば、次のような効果を得ることが可能である。
１．作業者の負担軽減
ケーブルクリーナを装着してケーブルを引くだけで付着物を除去できるため、従来のウエスによる除去作業に比べて、滑材による手元の滑りを防止し、作業者の負担を軽減することが期待できる。その結果、地中ケーブル撤去やバイパスケーブル収納の作業効率を格段に向上させることができる。
２．作業安全性の向上
ケーブルクリーナにケーブルを通すだけで付着物が除去されるため、ケーブルの引き出しや巻取り時に安定した姿勢をとって作業することができる。その結果、作業者の転倒防止などの効果が期待できる。
３．作業品質の向上
ブラシ体がケーブルに接触しながら回転体とともに自立回転することで付着物を除去するため、より線などのケーブルでも隙間の付着物を確実に除去できる。その結果、汚れの除去能力が向上し、撤去ケーブルの再利用が容易となる（撤去ケーブルの損傷確認などが容易にできる）。
４．廃棄物の少量化
ケーブルの付着物をブラシの回転のみで除去するため、従来のように大量のウエスが不要となる。その結果、破棄されるゴミの少量化が期待できる。
５．他分野への応用
ケーブルクリーナにケーブルを通す簡単な構造のため、地中電線や架空電線などの電線に限定されず、ケーブル状のものであれば幅広く付着した付着物を除去することができる。
【図面の簡単な説明】
【００１１】
【図１】この発明の実施の形態に係るケーブルクリーナを示す外観斜視図である。
【図２】図１のケーブルクリーナを組み立てた状態を示す断面図である。
【図３】図２のブラシ体を詳しく示す斜視図である。
【図４】図１のケーブルクリーナにより付着物を除去する動作を示す図である。
【図５】図２のブラシ体に挿入されたケーブルの状態を示す図であり、（ａ）（ｃ）は粗めブラシでの状態を、（ｂ）は細かいブラシでの状態を各々示している。
【図６】図１のケーブルクリーナの他の実施の形態を示す斜視図である。
【図７】図１のケーブルクリーナの更なる他の実施の形態を示す斜視図である。
【図８】従来の地中ケーブル撤去時の状態を示す図である。
【発明を実施するための形態】
【００１２】
以下、この発明を図示の実施の形態に基づいて説明する。
【００１３】
（実施の形態１）
図１は、この発明の実施の形態に係るケーブルクリーナ１を示す外観斜視図である。また、図２は、図１のケーブルクリーナ１を組み立てた状態を示す断面図である。また、図３は、図２のブラシ体２０を詳しく示す斜視図である。このケーブルクリーナ１は、図１に示すように、主として、回転体１０、ブラシ体２０、支持体３０を各々備えて構成されている。
【００１４】
回転体１０は、円筒状で軸心方向に延びて中心が開口された中空体に形成されている。そして、この回転体１０には、中空の内周面にブラシ体２０が配設されている。
【００１５】
ブラシ体２０は、図２および図３に示すように、回転体１０の中空の内周面に一端から他端まで螺旋状に延びて配置されている。このブラシ体２０は、図３に示したように、回転体１０の内周面に沿って螺旋状に細長く延びて組み付けられるブラシ受け２１が備えられている。このブラシ受け２１は、回転体１０内周面の螺旋ラインに沿ってブラシ２２が植え付けられており、内周面から中心に向かって延びるように配設されている。
【００１６】
そして、ブラシ２２は、中心部にケーブル２を挿入させる開口径２２ａが開口されており、この開口径２２ａはケーブル２の外径より少し小さい寸法になっている。すなわち、ブラシ２２の開口径２２ａでは、ケーブル２が挿入されて接触しながら摩擦により、螺旋形状に沿った回転力が伝達されるようになっている。そして、このブラシ２２の回転力が回転体１０に伝えられて、ブラシ２２とともに回転体１０が自立回転するものである。
【００１７】
また、ブラシ体２０は、図２に示したように、回転体１０の中空内で両端が粗めブラシ２２Ａになっており、中央部が細かめブラシ２２Ｂなっている。すなわち、ケーブル２を挿入した際に、挿入方向の前方と後方とで粗く大きな付着物を除去し、中央部で細かい付着物を除去することで、除去力に強弱をつけている。これにより、ケーブル２に付着した付着物を効率よく除去している。
【００１８】
一方、支持体３０は、図１に示したように、回転体１０を収容する収容体３１と、この収容体３１内に固定されて回転体１０を回転自在に支持するベアリング３２と、収容体３１の開口部を閉塞する蓋体３３と、により構成されている。
【００１９】
収容体３１は、筒状で中空の一端側が開口されて回転体１０を筒内に挿入できるようになっている。他端側は、外周からリブ３１ａを突出させて回転体１０が抜け出ないようにするとともに、中央が開口してケーブル２が挿通可能になっている。また、収容体３１内には、ベアリング３２が複数個(図１では３個)所定の間隔で配置されており、回転体１０を軸中心に回転自在に支持する構造になっている。また、収容体３１は、回転体１０を挿入する開口部一端の外周にネジ部３１ｄを形成して蓋体３３を螺合させることで、回転体１０が内部から出ないように封止している。
【００２０】
蓋体３３は、収容体３１のネジ部３１ｄに螺合する円筒状の周壁３３ａと、この周壁３３ａの片側を覆って中央に穴３３ｂを開口させるリブ３３ｃと、により形成されている。この周壁３３ａには、円筒状の内周面にネジ部３３ｄが形成され、収容体３１のネジ部３１ｄと螺合するように形成されている。また、リブ３３ｃは、周壁３３ａの円筒端部から延びて開口面を覆うように突出し、中央に穴３３ｂを開口させてケーブル２を挿通可能にしている。このような蓋体３３を収容体３１に螺合すると、図２に示したように、収容体３１のリブ３１ａと、蓋体３３のリブ３３ｃと、により回転体１０の両端が支持され、この回転体１０がベアリング３２によって回転自在な状態に保持される。
【００２１】
次に、このような構成からなるケーブルクリーナ１を用いてケーブル２の付着物を除去する動作を、図１〜５を参照して詳細に説明する。図４は、図１のケーブルクリーナ１により付着物を除去する動作を示す図である。また、図５は、図２のブラシ体２０に挿入されたケーブル２の状態を示す図であり、（ａ）、（ｃ）は粗めブラシ２２Ａでの状態を、（ｂ）は細かめブラシ２２Ｂでの状態を各々示している。まず、ケーブルクリーナ１として、図１に示した収容体３１内に回転体１０を収容させ、蓋体３３を螺合させることで、図２に示した粗め・細かめ・粗めの順のブラシ２２Ａ、２２Ｂを備えたブラシ体２０をセットする。
【００２２】
そして、このように組み立てたケーブルクリーナ１は、図４に示すように、作業者が地面（地中）からケーブル２を引き出す近傍に設置台３を備え、この設置台３に固定することで使用される。この際、設置台３が配置されてなくても、例えば、作業者の一人がケーブルクリーナ１を持ち、他の一人がケーブル２を引っ張ることで対応できる。ここでは、設置台３を用いた実施形態で以下説明する。
【００２３】
次に、設置台３にケーブルクリーナ１（支持体３０）を固定した状態で、地面（地中）から引き出したケーブル２の先端を、ケーブルクリーナ１（ブラシ体２０内：図２および３参照）に挿通させる。
【００２４】
その後、作業員が地面上（地上）で、ケーブルクリーナ１に通したケーブル２を引っ張ることで、ケーブル２に付着した付着物を除去することができる。この際、ケーブル２は、ケーブルクリーナ１を介して付着物が除去された状態で作業員側に送られる。これにより作業員は、付着物による手元の滑りや転倒などが防止されるため、安定した姿勢をとって作業することができる。
【００２５】
ここで、ケーブルクリーナ１に挿通したケーブル２は、図５（ａ）、（ｃ）に示すように、まず、粗めのブラシ２２Ａで外周に付着した大きな付着物が除去される。次いで、図４に示したように作業者がケーブル２を引っ張ると、図５（ｂ）に示すように、細かめのブラシ２２Ｂにより、より線のような線と線との隙間に入り込んだ細かな付着物が除去される。そして最後に、図５（ａ）、（ｃ）に示した粗めのブラシ２２Ａで、再び大きな付着物が除去されることで、ケーブル２に付着された付着物を完全に除去される。
【００２６】
このようなケーブルクリーナ１内での付着物の除去は、図２に示したように、ケーブル２を挿通させて引っ張ることで、このケーブル２に沿って螺旋形状のブラシ体２０に回転力が伝達されるため、回転体とともに自立回転し、ケーブル２に付着した油や塵芥などの付着物が除去される。すなわち、本実施の形態では、付着物が除去のために別途動力を用いることなく、ケーブル２の挿脱だけで回転力をブラシ体２０に伝達させて動作させるものである。
【００２７】
そして、図４に示した地面（地中）からケーブルクリーナ１を介して全て引き出されと、地中ケーブルの撤去作業が全て完了する。その後、ケーブルクリーナ１は、設置台３から外してブラシ体２０に付着した付着物を除去することで、再び、他の現場で使用することができる。この際、ケーブルクリーナ１は、図１に示したように、蓋体３３を収容体３１から外すことで、容易に回転体１０を取り出すことができ、ブラシ体２０に付着した付着物を簡単に除去することができる。
【００２８】
以上のように、このケーブルクリーナ１によれば、次のような効果を得ることが可能である。
１．作業者の負担軽減
ケーブルクリーナ１を装着してケーブル２を引くだけで付着物を除去できるため、従来のウエスによる除去作業に比べて、滑材による手元の滑りを防止し、作業者の負担を軽減することが期待できる。その結果、地中ケーブル撤去やバイパスケーブル収納の作業効率を格段に向上させることができる。
２．作業安全性の向上
ケーブルクリーナ１にケーブル２を通すだけで付着物が除去されるため、ケーブル２の引き出しや巻取り時に安定した姿勢をとって作業することができる。その結果、作業者の転倒防止などの効果が期待できる。
３．作業品質の向上
ブラシ体２０がケーブル２に接触しながら回転体１０とともに自立回転することで付着物を除去するため、より線などのケーブル２でも隙間の付着物を確実に除去できる。その結果、汚れの除去能力が向上し、撤去ケーブル２の再利用が容易となる（撤去ケーブル２の損傷確認などが容易にできる）。
４．廃棄物の少量化
ケーブル２の付着物をブラシ体２０の回転のみで除去するため、従来のように大量のウエスが不要となる。その結果、破棄されるゴミの少量化が期待できる。
５．他分野への応用
ケーブルクリーナ１にケーブル２を通す簡単な構造のため、地中電線や架空電線などの電線に限定されず、ケーブル状のものであれば幅広く付着した付着物を除去することができる。
【００２９】
（実施の形態２）
次に、図６を参照して、ケーブルクリーナの他の実施の形態について、詳しく説明する。図６は、図１のケーブルクリーナ１の他の実施の形態を示す斜視図である。ここで、図６の回転体１５および収容体３４以外は、図１のケーブルクリーナ１と同一の構成要素であり、同じ構成には同一符号を記載するとともに、重複する説明は省略する。図６に示すように、このケーブルクリーナ５は、回転体１５の外周に複数の貫通穴１５ａを開口するとともに、収容体３４に排出管３５を配設したものである。
【００３０】
このようなケーブルクリーナ５は、実施の形態１と同様に、ケーブル２を回転体１５のブラシ体２０内に挿通させて引っ張ることで、回転体１５とブラシ体２０とが自立回転し、ブラシ体２０によって付着物が除去される。
【００３１】
この際、ケーブルクリーナ５は、実施の形態１と異なり、回転する回転体１５の貫通穴１５ａから、ブラシ体２０に付着した付着物が、遠心力によって外側に排出され、収容体３４内に貯留される。その後、収容体３４内に貯留された付着物は、収容体３４に配設した排出管３５を介して外部に排出される。
【００３２】
以上のように、このケーブルクリーナ５によれば、ケーブル２の付着物をブラシ体２０により除去できるため、実施の形態１と同様の効果を得ることができる。また、ブラシ体２０に付着した付着物を、排出管３５を介して外部に排出することができるため、蓋体３３を開けて付着物を除去する作業を低減することができる。その結果、ブラシ体２０の清掃をしなくても複数の現場にそのまま設置できるため、作業性が向上する。
【００３３】
（実施の形態３）
次に、図７を参照して、ケーブルクリーナの更なる他の実施の形態について、詳しく説明する。図７は、図１のケーブルクリーナ１の更なる他の実施の形態を示す斜視図である。図７に示すように、このケーブルクリーナ６は、主として、回転体４０、ブラシ体５０、支持体６０を各々備えている。
【００３４】
回転体４０は、図１の回転体１０とは異なり、円筒状の中空体を軸心方向に二等分した半円弧状に延びる一対の半円体４１に形成され、この一対の半円体４１をお互い蝶番４２により開閉自在に連結して構成されている。また、一対の半円体４１は、二等分に分割された各中央の半円状凹面にブラシ体５０を所定の間隔で複数配列させ、開いた状態から重合して筒状に閉めた状態にすることで、この筒状の中空内に螺旋状のブラシ体５０が構成されるようになっている。また、回転体４０は、お互い開いた状態から筒状に閉じた状態で固定するため、図示しないネジ止め部やロック機構を備えている。
【００３５】
一方、支持体６０は、回転体４０と同様に、円筒状の中空体を二等分した一対の半円体６１を備え、この一対の半円体６１をお互いに蝶番６２により開閉自在に連結している。また、支持体６０は、一対の半円体６１内に前述した回転体４０を収容して回転自在に支持することができる。具体的に、一対の半円体６１は、二等分に分割された各中央の半円状凹面に、支持体６０を回転自在に支持するベアリング６３を配設している。このベアリング６３は、半円体６１の半円状凹面に設置される半円状の帯体６３ａを備え、この帯体６３ａに回転自在に支持されて複数配列するボール６３ｂを配設している。すなわち、回転体４０は、一対の半円体４１を筒状に閉じて、支持体６０のベアリング６３上に設置することで、帯体６３ａのボール６３ｂにより回転自在に支持される構造になっている。また、支持体６０は、半円体６１の両端の開口面に鍔状に突出するリブ６１ａを一体に備え、このリブ６１ａによって収容した回転体４０が外側に出ないように係止している。また、支持体６０には、回転体４０と同様に、半円体６１をお互い開いた状態から筒状に閉じた状態で固定するため、図示しないネジ止めやロック機構を備えている。
【００３６】
このようなケーブルクリーナ６を用いる場合、図４に示した設置台３に固定することで使用される。この際、回転体４０と支持体６０とは、一対の半円体４１、６１が開閉自在の半割式（二等分した分割式）であるため、半円体４１、６１を開閉することでケーブル２を途中からでもの挟み込んで装着することが可能である。すなわち、図１または図６のケーブルクリーナ１、５のように、ケーブル２の先端から挿入する必要がなく、ケーブル２の途中から装着できるため、作業効率が向上する。
【００３７】
その後、ケーブルクリーナ６は、図４および図５に示した作業と同様に、設置台３に固定された状態でケーブル２を引っ張ることで、ケーブル２の付着物を除去することが可能となる。そして、ケーブル２を全て引き出した後、支持体６０と回転体４０との半円体４１、６１を開いてケーブル２から取り外すことで付着物の除去作業が全て完了する。
【００３８】
以上のように、このケーブルクリーナ６によれば、ケーブル２の付着物をブラシ体５０により除去できるため、実施の形態１と同様の効果を得ることができる。また、回転体４０と支持体６０とが半割式であるため、ケーブル２を途中からでもの挟み込むことができ、ケーブル２への装着作業が容易になる。その結果、現場での作業効率が向上するとともに、作業者の負担（ケーブル２の先端から挿入して引っ張る負担）を軽減できる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、回転体１０の内周面に１枚のブラシ体２０を螺旋状に配設させたことを説明したが、これに限定されるものではなく、回転体１０の内周面に、等間隔で複数枚のブラシ体２０を配置して、軸心方向に複数枚が延びてねじれを加えたように螺旋状に配設させることも可能である。
【００４０】
また、粗め・細かめ・粗めの順のブラシ２２Ａ、２２Ｂを備えることについて説明したが、これに限定されるものではなく、例えば、全て細かめのブラシ２２Ｂにセットすることも可能である。
【符号の説明】
【００４１】
１        ケーブルクリーナ
２        ケーブル
３        設置台
１０      回転体
２０      ブラシ体
２１      ブラシ受け
２２      ブラシ
２２ａ    開口径
２２Ａ    粗めブラシ
２２Ｂ    細かめブラシ
２３      抜け防止金具
２４      スプリング
２５      ワッシャー
３０      支持体
３１      収容体
３１ａ    リブ
３１ｂ    穴
３１ｄ    ネジ部
３２      ベアリング
３３      蓋体
３３ａ    周壁
３３ｂ    穴
３３ｃ    リブ
３３ｄ    ネジ部
４０      台座
４１      台部
４２      ネジ部
【図１】
2013192352.tif 000003
【図２】
2013192352.tif 000004
【図３】
2013192352.tif 000005
【図４】
2013192352.tif 000006
【図５】
2013192352.tif 000007
【図６】
2013192352.tif 000008
【図７】
2013192352.tif 000009
【図８】
2013192352.tif 000010